(57)【要約】【課題】見栄えのよい照明器具を提供することを課題とする。【解決手段】実施形態に係る照明器具は、壁や天井に器具本体を固定する固定部、光源を含む発光部、および係合孔を有する器具本体と、固定部を覆う閉じ位置と固定部を開放する開放位置との間で移動可能に設けられ、器具本体に対向する内面、器具本体から離間した外面、および内面と外面の間に設けられて内面に開口したスライド溝を有するカバーと、スライド溝にスライド可能に挿通配置したスライダ、および開口を介してスライダに螺合し且つカバーの内面から突出した固定ネジを有し、スライド溝に沿ってスライダをスライドさせて固定ネジの頭部を器具本体の係合孔に係合し、カバーを閉じ位置に固定する固定具と、を有する。【選択図】      図１
2017157520.tif 000002
【特許請求の範囲】
【請求項１】
被取付面に器具本体を固定する固定部、光源を含む発光部、および係合孔を有する器具本体と；
前記固定部を覆う閉じ位置と前記固定部を開放する開放位置との間で前記器具本体に対して移動可能に設けられ、前記器具本体に対向する内面、前記器具本体から離間した外面、および前記内面と前記外面の間に設けられ前記内面に開口したスライド溝を有するカバーと；
前記スライド溝にスライド可能に挿通配置したスライダ、および前記開口を介して前記スライダに螺合し且つ前記カバーの前記内面から突出した固定ネジを有し、前記スライド溝に沿って前記スライダをスライドさせて前記固定ネジの頭部を前記器具本体の前記係合孔に係合し、前記カバーを前記閉じ位置に固定する固定具と；
を有する照明器具。
【請求項２】
前記器具本体の前記係合孔は、前記カバーを前記閉じ位置へ配置して前記固定具をロック解除位置へスライドさせた状態で前記固定ネジの頭部に重なる大径孔部と、前記カバーを前記閉じ位置へ配置して前記固定具をロック位置へスライドさせた状態で前記固定ネジの軸部を受け入れるとともに前記頭部を係合させるように前記大径孔部に連続した溝孔部と、を有する、
請求項１の照明器具。
【請求項３】
発光部を有して被取付面に固定した器具本体と、この器具本体を覆う閉じ位置と前記器具本体を開放する開放位置との間で移動可能に設けたカバーと、を有する複数台の照明器具と；
前記複数台の照明器具のうち第１の照明器具とこの第１の照明器具の長手方向の一端に連結される第２の照明器具の間に設けられ、前記第１の照明器具の第１のカバーおよび前記第２の照明器具の第２のカバーを前記閉じ位置に配置した状態で、前記第１のカバーの一端を前記第１の照明器具の第１の器具本体に固定するとともに前記第２のカバーを前記第１のカバーの前記一端に固定するロック位置と、前記第１のカバーの前記一端の前記第１の器具本体に対する固定を解除するとともに前記第２のカバーの前記第１のカバーの前記一端に対する固定を解除するロック解除位置と、の間で移動可能な第１の固定具と；
前記第１の照明器具とこの第１の照明器具の前記長手方向の他端に連結される第３の照明器具の間に設けられ、前記第１のカバーおよび前記第３の照明器具の第３のカバーを前記閉じ位置に配置した状態で、前記第３のカバーの一端を前記第３の照明器具の第３の器具本体に固定するとともに前記第３のカバーの前記一端を前記第１のカバーの他端に固定するロック位置と、前記第３のカバーの前記一端の前記第３の器具本体に対する固定を解除するとともに前記第３のカバーの前記一端の前記第１のカバーの前記他端に対する固定を解除するロック解除位置と、の間で移動可能な第２の固定具と；
を有する照明装置。
【請求項４】
前記第１乃至第３のカバーを前記閉じ位置へ配置して前記第１及び第２の固定具を前記ロック位置へ配置した状態で、前記第１乃至第３のカバーの前記被取付面から離間した外面が略同じ面に配置される、
請求項３の照明装置。
【発明の詳細な説明】
【技術分野】
【０００１】
本発明の実施形態は、壁や天井に取り付ける照明器具、および複数台の照明器具を連結した照明装置に関する。
【背景技術】
【０００２】
例えば、天井に取り付ける照明器具として、天井に固定する器具本体、ＬＥＤなどの光源を備えたモジュール基板、および光源を覆うカバーを備えた照明器具が知られている。また、この照明器具をその長手方向に沿って一直線状に複数台連結した照明装置が知られている。
【先行技術文献】
【特許文献】
【０００３】
【特許文献１】特開２０１１−１４８４０６号公報
【発明の概要】
【発明が解決しようとする課題】
【０００４】
上述した従来の照明器具において、カバーをネジにより器具本体に固定すると、天井を見上げたとき、ネジの頭部が見えて照明器具の見栄えが悪くなる。
【０００５】
また、複数台の照明器具を長手方向に連結して取り付ける場合、その連結部分でカバーに段差を生じ易く、見栄えが悪くなる。
【０００６】
よって、見栄えのよい照明器具および照明装置の開発が望まれている。
【課題を解決するための手段】
【０００７】
実施形態に係る照明器具は、壁や天井に器具本体を固定する固定部、光源を含む発光部、および係合孔を有する器具本体と、固定部を覆う閉じ位置と固定部を開放する開放位置との間で移動可能に設けられ、器具本体に対向する内面、器具本体から離間した外面、および内面と外面の間に設けられて内面に開口したスライド溝を有するカバーと、スライド溝にスライド可能に挿通配置したスライダ、および開口を介してスライダに螺合し且つカバーの内面から突出した固定ネジを有し、スライド溝に沿ってスライダをスライドさせて固定ネジの頭部を器具本体の係合孔に係合し、カバーを閉じ位置に固定する固定具と、を有する。
【０００８】
実施形態に係る照明装置は、発光部を有して被取付面に固定した器具本体と、この器具本体を覆う閉じ位置と器具本体を開放する開放位置との間で移動可能に設けたカバーと、を有する複数台の照明器具を有する。複数台の照明器具のうち第１の照明器具とこの第１の照明器具の長手方向の一端に連結される第２の照明器具の間には、第１の照明器具の第１のカバーおよび第２の照明器具の第２のカバーを閉じ位置に配置した状態で、第１のカバーの一端を第１の照明器具の第１の器具本体に固定するとともに第２のカバーを第１のカバーの一端に固定するロック位置と、第１のカバーの一端の第１の器具本体に対する固定を解除するとともに第２のカバーの第１のカバーの一端に対する固定を解除するロック解除位置と、の間で移動可能な第１の固定具が設けられている。第１の照明器具とこの第１の照明器具の長手方向の他端に連結される第３の照明器具の間には、第１のカバーおよび第３の照明器具の第３のカバーを閉じ位置に配置した状態で、第３のカバーの一端を第３の照明器具の第３の器具本体に固定するとともに第３のカバーの一端を第１のカバーの他端に固定するロック位置と、第３のカバーの一端の第３の器具本体に対する固定を解除するとともに第３のカバーの一端の第１のカバーの他端に対する固定を解除するロック解除位置と、の間で移動可能な第２の固定具が設けられている。
【発明の効果】
【０００９】
本発明の照明器具によれば、器具本体の固定部を覆うカバーを閉じ位置に固定する固定具を有し、この固定具がカバーのスライド溝に挿通配置したスライダおよびスライダに螺合してカバーの内面から突出した固定ネジを有し、固定ネジの頭部を器具本体の係合孔に係合してカバーを閉じ位置に固定するようにしたため、固定具の固定ネジが外から見えることがなく、照明器具の見栄えをよくすることができる。
【００１０】
本発明の照明装置によれば、第１乃至第３の照明器具の第１乃至第３のカバーを閉じ位置へ配置して第１および第２の固定具をロック位置へ配置した状態で、第１乃至第３のカバーの被取付面から離間した外面が略同じ面に揃うため、照明器具の連結部分でカバーに段差を生じることがなく、照明装置の見栄えをよくすることができる。また、第１および第２の固定具をロック解除位置へ配置した状態で、第２および第３のカバーの開閉状態によらず、第１のカバーを開閉させることができ、作業性を高めることができる。
【図面の簡単な説明】
【００１１】
【図１】図１は、実施形態に係る照明器具を長手方向の一端側から見た側面図である。
【図２】図２は、図１の照明器具のカバーを器具本体に固定した状態を示す斜視図である。
【図３】図３は、図２のカバーの固定を解除した状態を示す斜視図である。
【図４】図４は、実施形態に係る照明装置の１つの照明器具のカバーを器具本体に固定した状態を被取付面側から見た概略図である。
【図５】図５は、図４の１つの照明器具のカバーの固定を解除した状態を示す概略図である。
【図６】図６は、実施形態に係る照明装置の第１変形例を示す概略図である。
【図７】図７は、実施形態に係る照明装置の第２変形例を示す概略図である。
【発明を実施するための形態】
【００１２】
以下、図面を参照しながら実施形態について詳細に説明する。  
図１は、実施形態に係る照明器具１００を長手方向の一端側から見た側面図であり、図２は、照明器具１００のカバー３０を閉じ位置に配置して器具本体１０に固定した状態を示す斜視図であり、図３は、カバー３０の固定を解除した状態を示す斜視図である。照明器具１００は、器具本体１０、カバー３０、および固定具４０を有する。
【００１３】
図１に示すように、器具本体１０は、取付ネジ２を用いて壁や天井などの被取付面１に固定される長尺の略矩形板状のベース板部１１を有する。本実施形態では、照明器具１００を天井に取り付ける場合について説明する。よって、本実施形態では、ベース板部１１は、被取付面１に沿って略水平に配置される。
【００１４】
ベース板部１１は、長手方向（図１で紙面と垂直な方向）に沿った複数個所に複数の取付ネジ２を挿通するための複数の取付孔１１ａを有し、長手方向に沿った複数箇所（固定部）で被取付面１に固定される。複数の取付孔１１ａは、それぞれ、ベース板部１１を貫通して設けられている。また、ベース板部１１の図１で左側の長手方向に沿った端縁は、被取付面１から離れる方向（図示下方）に略直角に折り曲げられ、長手方向の全長にわたるリブ１１ｂを構成している。
【００１５】
また、器具本体１０は、被取付面１から図示下方へ離間した位置でベース板部１１と略平行に延びた長尺の略矩形板状の表側板部１２を有する。表側板部１２の短手方向の幅は、ベース板部１１の幅よりわずかに大きい。表側板部１２は、図２および図３に示すように、後述する固定具４０の固定ネジ４４の頭部４４ａを挿通して係合する少なくとも１つの係合孔１３を有する。
【００１６】
係合孔１３は、表側板部１２を貫通して設けられ、固定ネジ４４の頭部４４ａを挿通可能な大径孔部１３ａと、固定ネジ４４の頭部４４ａが挿通不能であるとともに固定ネジ４４の軸部４４ｂ（図１）を挿通可能な幅を有する溝孔部１３ｂと、を有する。係合孔１３は、大径孔部１３ａと溝孔部１３ｂを表側板部１２の長手方向に連結したいわゆるだるま孔である。
【００１７】
表側板部１２のベース板部１１側の内面１２ａには、ベース板部１１のリブ１１ｂと略対向する位置で長手方向の全長にわたって延びたリブ１２ｂがベース板部１１に向けて突設されている。このリブ１２ｂは、上述したベース板部１１のリブ１１ｂとともに器具本体１０の機械強度を高める。
【００１８】
また、器具本体１０は、ベース板部１１と表側板部１２の互いに対向する内面同士を一体に連結した長尺の矩形板状の内側縦板部１４を有する。内側縦板部１４は、表側板部１２の一端縁部（図示右側の端部）から一体に連続して略直角にベース板部１１に向けて上方に折り曲げられ、ベース板部１１の内面１１ｃに連結している。内側縦板部１４の図示左側の表面１４ａには、後述する発光モジュール２０が取り付けられている。
【００１９】
さらに、器具本体１０は、ベース板部１１の図示右側端部から一体に略直角に下方に折り曲げた外側縦板部１５を有する。外側縦板部１５は、内側縦板部１４の裏面１４ｂから離間して内側縦板部１４と略平行に設けられている。外側縦板部１５のベース板部１１から離間した端部１５ａは、表側板部１２が配置された面の手前まで延びている。つまり、外側縦板部１５の幅は、内側縦板部１４の幅より狭い。
【００２０】
外側縦板部１５の端部１５ａ近くで内側縦板部１４側の内面１５ｂには、複数のヒンジ１６（図１では１つのみ図示）が取り付けられている。これら複数のヒンジ１６は、外側縦板部１５の長手方向に互いに離間して設けられ、器具本体１０に対してカバー３０を回動自在に取り付けている。なお、器具本体１０のベース板部１１、表側板部１２、内側縦板部１４、および外側縦板部１５は、例えば金属板によって一体的に形成されている。
【００２１】
発光モジュール２０は、例えば、内側縦板部１４の外側縦板部１５から離間した表面１４ａに接着剤などにより貼設した帯状の基板２２、およびこの基板２２の表面２２ａに複数のＬＥＤ素子２４ａ（光源）を実装した発光部２４を有する。複数のＬＥＤ素子２４ａは、例えば、基板２２の表面２２ａにプリントした配線にＬＥＤチップを接続して樹脂により封止したものであり、基板２２の長手方向に沿って互いに離間して並んで設けられる。
【００２２】
複数のＬＥＤ素子２４ａから放出される熱は、基板２２を介して内側縦板部１４に伝えられ、器具本体１０を介して放熱される。また、器具本体１０の上述した２本のリブ１１ｂ、１２ｂの間の開口部が、発光部２４から射出される光の投光開口となり、この投光開口を介して概ね被取付面１に沿った照明光が射出される。つまり、本実施形態の照明器具１００は、いわゆる間接照明として機能する。
【００２３】
カバー３０は、上述した取付ネジ２を覆うとともに表側板部１２の係合孔１３を覆う図１に示す閉じ位置と、取付ネジ２にアクセス可能となる開放位置（図１で一部を破線で示す位置）と、の間で器具本体１０に対して回動（移動）可能に取り付けられている。カバー３０の短手方向の幅は器具本体１０の短手方向の幅より大きくされており、長手方向の長さは器具本体１０の長さと略同じに設計されている。つまり、カバー３０は、天井を見上げた場合に、閉じ位置に配置したカバー３０によって器具本体１０がほとんど隠れて見えない大きさに設計されている。
【００２４】
また、カバー３０は、閉じ位置に配置した状態で器具本体１０の表側板部１２の係合孔１３に対向する位置に、後述する固定具４０のスライダ４２を挿通配置するための矩形のスライド溝３２を有する。スライド溝３２は、器具本体１０に対向するカバー３０の内面３０ａと器具本体１０から離間した外面３０ｂの間に設けられており、逆Ｔ字形の断面形状に形成されている。スライド溝３２のスライド方向の少なくとも一端は、カバー３０の長手方向の端部に開口している。
【００２５】
また、スライド溝３２は、細長い窓部３２ａ（開口）を介してカバー３０の内面３０ａに開口している。窓部３２ａの幅は、図１に示すように、後述する固定具４０の固定ネジ４４の軸部４４ｂが挿通可能で且つ固定ネジ４４の頭部４４ａが挿通不能な幅に設計されている。また、カバー３０の長手方向に沿ったスライド溝３２および窓部３２ａの長さは、後述する固定具４０のスライダ４２の移動範囲に応じて決められている。
【００２６】
固定具４０は、カバー３０のスライド溝３２内にスライド可能に挿通配置される矩形板状のスライダ４２、およびカバー３０のスライド溝３２の窓部３２ａを介してスライダ４２に螺合する固定ネジ４４を有する。つまり、固定具４０は、カバー３０の外面に露出する構成を持たず、固定ネジ４４は、カバー３０の内面３０ａから器具本体１０に向けて突出している。
【００２７】
固定具４０は、スライダ４２をカバー３０のスライド溝３２に沿ってスライドさせて、図２に示すロック位置と図３に示すロック解除位置に移動可能となっている。スライダ４２をスライド溝３２に沿ってスライドさせる場合には、固定ネジ４４の軸部４４ｂがスライド溝３２の窓部３２ａに沿って移動する。スライダ４２を図２に示すロック位置に配置すると、固定ネジ４４の頭部４４ａが器具本体１０の溝孔部１３ｂに係合してカバー３０が閉じ位置に固定される。また、スライダ４２を図３に示すロック解除位置へ配置すると、固定ネジ４４の頭部４４ａが器具本体１０の大径孔部１３ａに重なり、カバー３０の固定が解除されて開閉可能となる。
【００２８】
固定ネジ４４の軸部４４ｂの長さは、軸部４４ｂの先端をスライダ４２に螺合した状態で、器具本体１０の表側板部１２の板厚と、カバー３０のスライド溝３２と内面３０ａとの間の厚みと、を足した値より、スライダ４２と頭部４４ａの間の距離の方がわずかに長くなるように設計されている。一方、スライダ４２側に設けた図示しないネジ穴は、例えば有底の穴であり、少なくとも固定ネジ４４の軸部４４ｂがスライダ４２を貫通して反対側に突出しない深さに設計されている。
【００２９】
ここで、カバー３０の固定方法および固定解除方法について説明する。  
カバー３０を閉じ位置へ固定する場合、作業者は、まず、固定具４０の固定ネジ４４をゆるめた状態（軸部４４ｂの先端をスライダ４２にわずかに螺合した状態）で、図３に示すように頭部４４ａを係合孔１３の大径孔部１３ａに挿通しつつカバー３０を閉じ位置へ回動させる。そして、作業者は、被取付面１と表側板部１２との間の隙間から手を差し入れて、固定ネジ４４の頭部４４ａをつまんでスライダ４２を図３に示すロック解除位置から図２に示すロック位置へスライドさせ、固定ネジ４４の頭部４４ａを係合孔１３の溝孔部１３ｂに係合させる。この後、作業者は、固定ネジ４４を回して締め付ける。これにより、スライダ４２と固定ネジ４４の頭部４４ａとの間の距離が短くなり、スライダ４２と頭部４４ａとの間にカバー３０の一部と器具本体１０の表側板部１２が挟持され、カバー３０が器具本体１０に固定される。
【００３０】
固定ネジ４４の頭部４４ａは、軸方向の長さが比較的長くされており、周面にグリップ性を高める凹凸を有する。このため、固定ネジ４４をスライドさせるとき、固定ネジ４４の頭部４４ａが持ち易く、操作子として使いやすい。また、固定ネジ４４を回転させる際のグリップ性をよくすることができ、操作性を向上させることができる。
【００３１】
一方、上記のように閉じ位置に固定したカバー３０を開放する場合、作業者は、まず、被取付面１と表側板部１２との間の隙間から手を差し入れて、図２に示すロック位置にある固定ネジ４４を回してゆるめ、頭部４４ａを持って固定具４０を図２のロック位置から図３のロック解除位置へスライドさせる。固定具４０を図３に示すロック解除位置へスライドさせると、固定ネジ４４の頭部４４ａが係合孔１３の大径孔部１３ａ内に移動し、頭部４４ａの係合孔１３に対する係合が解除される。この状態で、作業者は、カバー３０を閉じ位置から開放位置へ回動させる。
【００３２】
以上のように、本実施形態によると、カバー３０を器具本体１０に固定する固定具４０がカバー３０の外面３０ｂ側に露出する構成を含まないため、例えば固定具４０の固定ネジ４４の頭部４４ａがカバー３０の外面３０ｂ側から見えることがなく、天井を見上げたとき、照明器具１００の見栄えをよくすることができる。
【００３３】
また、本実施形態によると、カバー３０を閉じ位置に固定する固定具４０の固定ネジ４４の頭部４４ａが固定具４０のスライドおよび締め付けのための操作子として機能し、簡単な構成によりカバー３０を確実に閉じ位置へ固定することができ、作業性を高めることができる。
【００３４】
以下、実施形態の照明装置２００について、図４および図５を参照して説明する。なお、この照明装置２００の構成要素である複数台の照明器具１００Ｌ、１００Ｍ、１００Ｒは、上述した実施形態の照明器具１００と略同じ構造を有するため、同様に機能する構成要素には、符号にＬ、Ｍ、Ｒをそれぞれ付してその詳細な説明を省略する。
【００３５】
照明装置２００は、複数台の照明器具１００Ｌ、１００Ｍ、１００Ｒをその長手方向に一直線状に同じ向きに並べて連結した構造を有する。以下の説明では長手方向に沿って３台の照明器具１００Ｌ、１００Ｍ、１００Ｒを連結した照明装置２００について説明するが、連結する照明器具１００の台数は任意に設定可能である。
【００３６】
３台の照明器具１００Ｌ、１００Ｍ、１００Ｒのうち中央の照明器具１００Ｍ（第１の照明器具）の器具本体１０Ｍ（第１の器具本体）は、長手方向の一端（図示右端）に開口した溝孔部１３Ｍｂおよび長手方向の他端（図示左端）に開口した大径孔部１３Ｍａを有する。溝孔部１３Ｍｂおよび大径孔部１３Ｍａは、それぞれ、上述した係合孔１３の溝孔部１３ｂおよび大径孔部１３ａと略同じ形状を有するとともに同様に機能するものであるが、本実施形態では係合孔１３を２分割して器具本体１０Ｍの長手方向の両端に開口させて設けた。
【００３７】
中央の照明器具１００Ｍのカバー３０Ｍ（第１のカバー）は、閉じ位置へ配置した状態で、長手方向の一端（図示右端）に開口して器具本体１０Ｍの上述した溝孔部１３Ｍｂに重なる係合溝３２Ｍｂ、および長手方向の他端（図示左端）に開口して器具本体１０Ｍの上述した大径孔部１３Ｍａに重なる収納溝３２Ｍａを有する。係合溝３２Ｍｂおよび収納溝３２Ｍａは、上述したスライド溝３２と同様に機能するものであるが、本実施形態ではスライド溝３２を２分割してカバー３０Ｍの長手方向の両端に開口させて設けた。
【００３８】
中央の照明器具１００Ｍの図示右側に連結する照明器具１００Ｒ（第２の照明器具）の器具本体１０Ｒ（第２の器具本体）は、器具本体１０Ｍ側の端部に開口した大径孔部１３Ｒａを有する。右側の照明器具１００Ｒのカバー３０Ｒ（第２のカバー）は、閉じ位置へ配置した状態で、上述したカバー３０Ｍの係合溝３２Ｍｂに対向する端部に開口して大径孔部１３Ｒａに重なる収納溝３２Ｒａを有する。右側の照明器具１００Ｒの図示左端の構造は、上述した中央の照明器具１００Ｍの図示左端の構造と同じである。
【００３９】
中央の照明器具１００Ｍの図示左側に連結する照明器具１００Ｌ（第３の照明器具）の器具本体１０Ｌ（第３の器具本体）は、器具本体１０Ｍ側の端部に開口した溝孔部１３Ｌｂを有する。左側の照明器具１００Ｌのカバー３０Ｌ（第３のカバー）は、閉じ位置へ配置した状態で、上述したカバー３０Ｍの収納溝３２Ｍａに対向する端部に開口して溝孔部１３Ｌｂに重なる係合溝３２Ｌｂを有する。左側の照明器具１００Ｌの図示右端の構造は、上述した中央の照明器具１００Ｍの図示右端の構造と同じである。
【００４０】
照明装置２００は、さらに、中央の照明器具１００Ｍと右側の照明器具１００Ｒを連結するための固定具４０Ｒ（第１の固定具）、および中央の照明器具１００Ｍと左側の照明器具１００Ｌを連結するための固定具４０Ｌ（第２の固定具）を有する。右側の固定具４０Ｒは、スライダ４２Ｒおよび固定ネジ４４Ｒを有し、左側の固定具４０Ｌは、スライダ４２Ｌおよび固定ネジ４４Ｌを有する。
【００４１】
図示右側の固定具４０Ｒのスライダ４２Ｒは、基本的に、右側の照明器具１００Ｒのカバー３０Ｒの収納溝３２Ｒａに全体を収納したロック解除位置（図５に破線で示す位置）へ収納配置される。収納溝３２Ｒａに収納した状態で、スライダ４２Ｒは、収納溝３２Ｒａの開口部から突出しない。スライダ４２Ｒは、カバー３０Ｒの開閉状態に関係なくカバー３０Ｒの収納溝３２Ｒａ内に収納可能である。
【００４２】
また、このスライダ４２Ｒは、中央の照明器具１００Ｍのカバー３０Ｍおよび右側の照明器具１００Ｒのカバー３０Ｒをそれぞれ閉じ位置へ配置した状態で、カバー３０Ｍの係合溝３２Ｍｂに一部を挿通したロック位置（図４に破線で示す位置）へスライド可能に設けられている。
【００４３】
さらに、右側の固定具４０Ｒの固定ネジ４４Ｒは、頭部４４Ｒａおよび軸部４４Ｒｂを有する。頭部４４Ｒａは、スライダ４２Ｒをロック解除位置へ配置した状態（図５の状態）で、右側の器具本体１０Ｒの大径孔部１３Ｒａに重なり、溝孔部１３Ｍｂに対する係合が解除される。また、頭部４４Ｒａは、スライダ４２Ｒをロック位置へ配置した状態（図４の状態）で、中央の器具本体１０Ｍの溝孔部１３Ｍｂに係合する。
【００４４】
図示左側の固定具４０Ｌのスライダ４２Ｌは、基本的に、中央の照明器具１００Ｍのカバー３０Ｍの収納溝３２Ｍａに全体を収納したロック解除位置（図５に破線で示す位置）へ収納配置される。収納溝３２Ｍａに収納した状態で、スライダ４２Ｌは、収納溝３２Ｍａの開口部から突出しない。スライダ４２Ｌは、カバー３０Ｍの開閉状態に関係なくカバー３０Ｍの収納溝３２Ｍａ内に収納可能である。
【００４５】
また、このスライダ４２Ｌは、左側の照明器具１００Ｌのカバー３０Ｌおよび中央の照明器具１００Ｍのカバー３０Ｍをそれぞれ閉じ位置へ配置した状態で、カバー３０Ｌの係合溝３２Ｌｂに一部を挿通したロック位置（図４に破線で示す位置）へスライド可能に設けられている。
【００４６】
さらに、左側の固定具４０Ｌの固定ネジ４４Ｌは、頭部４４Ｌａおよび軸部４４Ｌｂを有する。頭部４４Ｌａは、スライダ４２Ｌをロック解除位置へ配置した状態（図５の状態）で、中央の器具本体１０Ｍの大径孔部１３Ｍａに重なり、溝孔部１３Ｌｂに対する係合が解除される。また、頭部４４Ｌａは、スライダ４２Ｌをロック位置へ配置した状態（図４の状態）で、左側の器具本体１０Ｌの溝孔部１３Ｌｂに係合する。
【００４７】
なお、４台以上の照明器具１００を一列に並べて連結する場合には、中央の照明器具１００Ｍと同じ構造の照明器具１００の台数を増やして、上述した固定具４０の数を必要な数だけ増やせばよい。いずれにしても、照明器具１００を複数台連結した照明装置２００の長手方向の両端の照明器具１００は、連結が必要な一端だけに上述した連結のための構造を備えていればよい。
【００４８】
ここで、中央の照明器具１００Ｍのカバー３０Ｍの固定方法および固定解除方法について説明する。なお、ここでは、右側の照明器具１００Ｒのカバー３０Ｒおよび左側の照明器具１００Ｌのカバー３０Ｌは、それぞれ、閉じ位置へ固定したままの状態とする。
【００４９】
中央の照明器具１００Ｍのカバー３０Ｍを閉じ位置へ固定する場合、作業者は、まず、右側の固定具４０Ｒの固定ネジ４４Ｒおよび左側の固定具４０Ｌの固定ネジ４４Ｌをゆるめた状態で、右側の固定ネジ４４Ｒの頭部４４Ｒａを右側の器具本体１０Ｒの大径孔部１３Ｒａに挿通し、且つ左側の固定ネジ４４Ｌの頭部４４Ｌａを中央の器具本体１０Ｍの大径孔部１３Ｍａに挿通しつつ、中央のカバー３０Ｍを閉じ位置へ回動させる。
【００５０】
そして、作業者は、左右の固定ネジ４４Ｒ、４４Ｌの頭部４４Ｒａ、４４Ｌａを両手でつまんで２つのスライダ４２Ｒ、４２Ｌをそれぞれ図５に示すロック解除位置から図４に示すロック位置へスライドさせ、固定ネジ４４Ｒの頭部４４Ｒａを溝孔部１３Ｍｂに係合させるとともに、固定ネジ４４Ｌの頭部４４Ｌａを溝孔部１３Ｌｂに係合させる。この後、作業者は、２つの固定ネジ４４Ｒ、４４Ｌを回転させて締め付ける。これにより、左右２つの固定具４０Ｒ、４０Ｌによって、中央のカバー３０Ｍが中央の器具本体１０Ｍに固定される。
【００５１】
一方、上記のように閉じ位置に固定した中央のカバー３０Ｍを開放する場合、作業者は、まず、図４に示すロック位置にある２つの固定ネジ４４Ｒ、４４Ｌを回してゆるめ、２つの固定ネジ４４Ｒ、４４Ｌの頭部４４Ｒａ、４４Ｌａを持って、２つの固定具４０Ｒ、４０Ｌを図４のロック位置から図５のロック解除位置へスライドさせる。
【００５２】
右側の固定具４０Ｒを図５に示すロック解除位置へスライドさせると、固定ネジ４４Ｒの頭部４４Ｒａが右側の器具本体１０Ｒの大径孔部１３Ｒａ内に移動し、頭部４４Ｒａの溝孔部１３Ｍｂに対する係合が解除される。左側の固定具４０Ｌを図５に示すロック解除位置へスライドさせると、固定ネジ４４Ｌの頭部４４Ｌａが中央の器具本体１０Ｍの大径孔部１３Ｍａ内に移動し、頭部４４Ｌａの溝孔部１３Ｌｂに対する係合が解除される。この状態で、作業者は、中央のカバー３０Ｍを閉じ位置から開放位置へ回動させる。
【００５３】
以上のように、本実施形態の照明装置２００によると、例えば、長手方向に隣接する照明器具１００Ｍ、１００Ｒのカバー３０Ｍ、３０Ｒが互いに対向する端部に開口して収納溝３２Ｒａおよび係合溝３２Ｍｂを設けて、収納溝３２Ｒａから突出したスライダ４２Ｒの一部を係合溝３２Ｍｂに挿通するようにしたため、２つの照明器具１００Ｍ、１００Ｒ間の連結部分において、カバー３０Ｍとカバー３０Ｒに段差を生じることを防止でき、照明装置２００の見栄えをよくすることができる。
【００５４】
また、本実施形態によると、長手方向に連結した左右両側の照明器具１００Ｒ、１００Ｌのカバー３０Ｒ、３０Ｌを閉じ位置に配置したまま、中央の照明器具１００Ｍのカバー３０Ｍを開閉させることができ、メンテナンス時における作業性を向上させることができる。
【００５５】
図６は、上述した照明装置２００の第１の変形例の要部を拡大して示す概略図である。第１の変形例に係る照明装置は、固定具４０Ｒ、４０Ｌおよびその周辺構造が異なる以外、上述した照明装置２００と略同じ構造を有する。よって、ここでは、上述した照明装置２００と異なる構成について詳細に説明し、同様に機能する構成については同一符号を付してその詳細な説明を省略する。また、固定具４０Ｒ、４０Ｌは、同じ構造を有するため、ここでは図示右側の固定具４０Ｒについてのみ代表して説明する。
【００５６】
固定具４０Ｒは、右側の照明器具１００Ｒのカバー３０Ｒおよび中央の照明器具１００Ｍのカバー３０Ｍを閉じ位置に配置した状態で、右側のカバー３０Ｒの端部に設けた収納溝３２Ｒａおよび中央のカバー３０Ｍの端部に設けた係合溝３２Ｍｂに沿ってスライド可能に設けたスライダ４２Ｒを有する。また、固定具４０Ｒは、右側の照明器具１００Ｒの器具本体１０Ｒに設けた係合孔１３Ｒに係合する頭部４４Ｒａおよびスライダ４２Ｒに螺合する軸部４４Ｒｂを備えた固定ネジ４４Ｒを有する。
【００５７】
本変形例では、スライダ４２Ｒのスライド方向に沿った固定ネジ４４Ｒの螺合位置を図示右方向にシフトし、係合孔１３Ｒの大径孔部１３Ｒａおよび溝孔部１３Ｒｂを右側の照明器具１００Ｒの器具本体１０Ｒに設けた。つまり、本変形例では、上述した実施形態の照明装置２００のように係合孔１３を隣接する２つの器具本体１０Ｍ、１０Ｒに分割して設けるのではなく、一方の照明器具１００Ｒの器具本体１０Ｒに大径孔部１３Ｒａおよび溝孔部１３Ｒｂを設けた。このため、本変形例によると、器具本体１０Ｍの両端に大径孔部１３Ｒａおよび溝孔部１３Ｒｂを分割して設ける必要がなく、その分、製造工程を簡略化でき、製造コストを低減することができる。
【００５８】
図７は、上述した照明装置２００の第２の変形例の要部を拡大して示す概略図である。第２の変形例に係る照明装置は、固定具４０Ｒ、４０Ｌおよびその周辺構造が異なる以外、上述した照明装置２００と略同じ構造を有する。よって、ここでは、上述した照明装置２００と異なる構成について詳細に説明し、同様に機能する構成については同一符号を付してその詳細な説明を省略する。また、固定具４０Ｒ、４０Ｌは、同じ構造を有するため、ここでは図示右側の固定具４０Ｒについてのみ代表して説明する。
【００５９】
第２の変形例の照明装置は、中央の照明器具１００Ｍの器具本体１０Ｍの図示右側の端部と右側の照明器具１００Ｒの器具本体１０Ｒの図示左側の端部が対向する位置と、中央の照明器具１００Ｍのカバー３０Ｍの図示右側の端部と右側の照明器具１００Ｒのカバー３０Ｒの図示左側の端部が対向する位置が、長手方向にずれている。このように器具本体同士の連結部分とカバー同士の連結部分が長手方向にずれている場合、本変形例のように、カバー３０Ｍ、３０Ｒがずれた分だけ、係合孔１３Ｒの位置を長手方向にずらすだけでよく、大きな設計変更を伴わず、ずれを吸収することができ、設計の自由度を高めることができる。
【００６０】
本発明のいくつかの実施形態および変形例を説明したが、これらの実施形態および変形例は、例として提示したものであり、発明の範囲を限定することは意図していない。これら実施形態および変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…被取付面、２…取付ネジ、１０…器具本体、１１…ベース板部、１２…表側板部、１３…係合孔、１３ａ…大径孔部、１３ｂ…溝孔部、１４…内側縦板部、１５…外側縦板部、１６…ヒンジ、２０…発光モジュール、２２…基板、２４…発光部、２４ａ…ＬＥＤ素子、３０…カバー、３２…スライド溝、３２ａ…窓部、３２Ｍａ、３２Ｒａ…収納溝、３２Ｌｂ、３２Ｍｂ…係合溝、４０…固定具、４２…スライダ、４４…固定ネジ、４４ａ…頭部、１００…照明器具、２００…照明装置。
【図１】
2017157520.tif 000003
【図２】
2017157520.tif 000004
【図３】
2017157520.tif 000005
【図４】
2017157520.tif 000006
【図５】
2017157520.tif 000007
【図６】
2017157520.tif 000008
【図７】
2017157520.tif 000009